(57)【要約】【課題】少ない部品点数で表示部の傷つき防止と開閉検出の両方が可能であり、その上滑り止め機能を有する折畳み型電子機器を提供する。また、更に加えて防滴性・防塵性に優れる折畳み型電子機器を提供する。【解決手段】第１の筐体と第２の筐体とが折畳み可能に連結され、前記第１の筐体の対向面に表示部を備えると共に、前記第２の筐体の対向面に操作キーを備える折畳み型電子機器において、前記両筐体のうちいずれか一方の筐体の外周面から対向面には滑り止め材を配設し、前記対向面上に位置する滑り止め材の厚みを、前記両筐体が折畳まれた際に前記表示部と前記操作キーとが非接触となる厚みに形成すると共に、前記一方の筐体には前記滑り止め材を介して他方の筐体の折畳みを感知する感圧センサを設けたことを特徴とする。【選択図】      図３
2004328186.tif 000002
【特許請求の範囲】
【請求項１】
第１の筐体と第２の筐体とが折畳み可能に連結され、前記第１の筐体の対向面に表示部を備えると共に、前記第２の筐体の対向面に操作キーを備える折畳み型電子機器において、
前記両筐体のうちいずれか一方の筐体の外周面から対向面に滑り止め材を配設し、前記対向面上に位置する滑り止め材の厚みを、前記両筐体が折畳まれた際に前記表示部と前記操作キーとが非接触となる厚みに形成すると共に、前記一方の筐体には前記滑り止め材を介して他方の筐体が折畳まれたことを感知する感圧センサを備えることを特徴とする折畳み型電子機器。
【請求項２】
前記感圧センサは、前記一方の筐体内に有する回路基板上に備えると共に、前記一方の筐体の対向面にある滑り止め材の一部を前記一方の筐体内に突出させ、当該突出部を前記感圧センサに当接させてあることを特徴とする請求項１に記載の折畳み型電子機器。
【請求項３】
前記一方の筐体は、内側ケースと外側ケースとを嵌合させて形成してなり、前記滑り止め材の一端を前記内側ケースと外側ケースとの間に延在させて挟持させるようにしたことを特徴とする請求項１又は請求項２に記載の折畳み型電子機器。
【請求項４】
前記滑り止め材は、前記一方の筐体の両側部にそれぞれ設けてあることを特徴とする請求項１乃至請求項３のいずれか一つに記載の折畳み型電子機器。
【請求項５】
前記滑り止め材と前記感圧センサは、前記第２の筐体に備えることを特徴とする請求項１乃至請求項４のいずれか一つに記載の折畳み型電子機器。
【請求項６】
前記滑り止め材が、ゴム又は樹脂の弾性体からなることを特徴とする請求項１乃至請求項５のいずれか一つに記載の折畳み型電子機器。
【発明の詳細な説明】
【０００１】
【発明の属する技術分野】
本発明は、携帯電話機、ＰＤＡ（Ｐｅｒｓｏｎａｌ  Ｄｉｇｉｔａｌ  Ａｓｓｉｓｔａｎｔｓ）、ページャー、パーソナルコンピュータなどの少なくとも表示部と操作部を備えた折畳み型電子機器に関するものである。
【０００２】
【従来の技術】
一般に、携帯電話機、ＰＤＡ（Ｐｅｒｓｏｎａｌ  Ｄｉｇｉｔａｌ  Ａｓｓｉｓｔａｎｔｓ）、ページャー、パーソナルコンピュータなどの少なくとも表示部と操作部を備えた折畳み型電子機器においては、ヒンジ部により連結された２つの筐体を重ね合わせた状態（閉状態）で携帯することを考慮して、閉状態では表示部が一方の筐体の対向面に配されるよう構成して表示部の傷つきを防止する構成としたものが多く、この場合には、閉状態で表示部に対向する操作キー部などによって表示部が傷つかないよう、一方の筐体の閉状態で他方の筐体の対向面となる位置にゴム部材からなる凸部を設けたものが知られている。
【０００３】
これらの折畳み型電子機器においては、閉状態ではあまり操作しないため待機状態などの節電モードとし、一方前記２つの筐体をヒンジ部を中心に開いて開状態にするとすぐに操作出来るように、開状態にすると同時に起動状態となるように構成されている。そして閉状態及び開状態を検知する構成として、一方の筐体に突起部を設け、もう一方の筐体に押圧スイッチを設け、閉状態とした際に前記突起部が前記押圧スイッチを押圧するようにして、開閉を検出するようにした構成が知られている（特許文献１）。
【０００４】
また、開閉検出だけではなく、表示部が折畳み状態で対面する操作部によって傷つくことを防止するようにした構成として、一方の筐体に互いに電気的に接続された凹部を設け、もう一方の筐体に電極である凸部を折畳み状態で両筐体間に空間を形成可能な程度の大きさで設け、閉状態とすると該凸部が前記凹部に嵌合することにより電気的に導通状態となり、閉状態であることが検知される構成が一般に知られている（特許文献２）。
【０００５】
【特許文献１】
特開２００１−１６０８５３
【特許文献２】
特開２００１−４３７７６
【０００６】
【発明が解決しようとする課題】
しかし、折畳み型電子機器には表示部の傷つき防止と開閉検出のみならず、特に携帯して使用される電子機器においては携帯性向上のための滑り止めの機能も要求される。その上、制御基板を水や埃などから保護するためには、防滴性・防塵性といった機能も要求される。そしてこれらの機能を付加するためには、各々別の部材を設ける必要があり、そうすると部品点数が多くなりコスト高となるという課題があった。
【０００７】
本発明の目的は、少ない部品点数で表示部の傷つき防止と開閉検出の両方が可能であり、その上滑り止め機能を有する折畳み型電子機器を提供することである。また、更に加えて防滴性・防塵性に優れる折畳み型電子機器を提供することである。
【０００８】
【課題を解決するための手段】
本発明によれば、第１の筐体と第２の筐体とが折畳み可能に連結され、前記第１の筐体の対向面に表示部を備えると共に、前記第２の筐体の対向面に操作キーを備える折畳み型電子機器において、
前記両筐体のうちいずれか一方の筐体の外周面から対向面に滑り止め材を配設し、前記対向面上に位置する滑り止め材の厚みを、前記両筐体が折畳まれた際に前記表示部と前記操作キーとが非接触となる厚みに形成すると共に、前記一方の筐体には前記滑り止め材を介して他方の筐体が折畳まれたことを感知する感圧センサを備えることを特徴とする。
【０００９】
また、本発明にかかる折畳み型電子機器においては、前記感圧センサを、前記一方の筐体内に有する回路基板上に設けると共に、前記一方の筐体の対向面にある滑り止め材の一部を前記一方の筐体内に突出させ、当該突出部を前記感圧センサに当接させるようにすることが好ましい。
【００１０】
更に、本発明にかかる折畳み型電子機器においては、前記一方の筐体を、内側ケースと外側ケースとを嵌合させて形成してなり、前記滑り止め材の一端を前記内側ケースと外側ケースとの間に延在させて挟持させるようにすることが好ましい。
【００１１】
また、本発明にかかる折畳み型電子機器においては、前記滑り止め材は、前記一方の筐体の両側部にそれぞれ設けることが好ましい。
【００１２】
更に本発明にかかる折畳み型電子機器においては、前記滑り止め材と前記感圧センサを、前記第２の筐体に備えることがより好ましい。
【００１３】
なお、本発明にかかる折畳み型電子機器においては、前記滑り止め材は、ゴム又は樹脂からなる弾性体を用いることが好ましい。
【００１４】
【発明の実施の形態】
以下、本発明の実施の形態について図面を参照して説明する。但し、この実施の形態に記載されている構成部品の寸法、材質、形状、その相対配置などは特に特定的な記載がない限り、この発明の範囲をそれのみに限定する趣旨ではなく、単なる説明例にすぎない。
【００１５】
図１を参照して、本発明にかかる折畳み型電子機器は、例えば図に示すような携帯通信端末であり、表示部１２を有する第１の筐体１０と、操作キー１３を有する第２の筐体１１が、ヒンジ１７の回動軸回りに回動するよう結合されている。図１に示す状態おいては、表示部１２を有する対向面１０ａと操作キー１３を有する対向面１１ａが見える状態（開状態）となっているが、これをヒンジ１７の回動軸回りに回動させることにより、図２（ａ）に示すように、対向面１０ａと対向面１１ａが対面して外部からは見えなくなる状態（閉状態）になる。なお、図２（ａ）においては、閉状態で手前側の第１の筐体１０のみが見えた状態となっている。
【００１６】
図２（ｂ）は図２（ａ）のＡ−Ａ矢視図であり、本実施例にかかる折畳み型電子機器の断面図である。第２の筐体１１の両側面１１ｂには、滑り止め材１４が設けられている。
【００１７】
この部分を詳しく説明するため、図２（ｂ）においてＢで示される部分を拡大した図が図３である。図３に示すように、第２の筐体１１は内側ケース２０と外側ケース２１を嵌合することにより形成されている。
【００１８】
滑り止め材１４の形状は、第２の筐体１１の側面１１ｂから操作キー１３を有する対向面１１ａにかけて延在しており、対向面１１ａ上に位置する滑り止め材１４の当接部１４ｂは、閉状態において、第１の筐体１０の表示部１２を有する対向面１０ａと当接するようになっている。そして当接部１４ｂの厚みＤにより、第１の筐体１０の対向面１０ａと第２の筐体１１の対向面１１ａの間には空間Ｓが形成され、表示部１２と操作キー１３が非接触となる状態が保たれる。即ちこれにより、閉状態にした際、操作キー１３と表示部１２とが接触することによる傷付きを防止することができる。
【００１９】
ここで図４を参照して、図４は内側ケース２０を取り外し、第２の筐体１１の外側ケース２１を内側から見た状態を示す斜視図であり、外側ケース２１の内部には回路基板１６が備え付けられている。
【００２０】
ここで図３と図４を参照して、滑り止め材１４は、当接部１４ｂから回路基板１６に向かってほぼ垂直方向に延在して突出する突出部１４ａを備え、この突出部１４ａと回路基板１６の間に感圧センサ１５が配置されている。その為筐体１０、１１を開状態から閉状態にすると、第１の筐体１０の対向面１０ａによって当接部１４ｂが押圧され、この押圧力が突出部１４ａに伝わり、突出部１４ａによって感圧センサ１５が押圧されることにより、閉状態となったことが感知される。なお、図示はしないが、筐体１０、１１を開状態からヒンジ１７の回動軸回りに回動させて閉状態とする際、両筐体１０、１１を所定の角度位置まで回動した時点で閉状態となる方向に付勢する付勢部材がヒンジ１７内に備えられており、不意の衝撃などにより両筐体１０、１１が開状態となってしまわない程度に閉状態を維持するようにしている。すなわち、閉状態においては付勢部材による付勢により、両筐体１０、１１には互いに押圧し合う押圧力が働いている。
【００２１】
そして、筐体１０、１１を閉状態から開状態にすると、この押圧力が解かれることとなる。即ち、当接部１４ｂに対する第１の筐体の対向面１０ａによる押圧が解かれ、これに連動して突出部１４ａによる感圧センサ１５への押圧が解除され、開状態となったことが感知される。
【００２２】
このように構成すると、滑り止め材１４を表示部１２の傷つき防止と電子機器の開閉検出の両方に使用出来、それぞれの機能について別途部品を付加する必要がないので、デザイン性にあまり影響を与えずにこれらの機能が得られる。また、少ない部品数でこれらの機能を持たせられることから、コストダウンにもつながる。
【００２３】
ところで一般に電子機器組立の際は、回路基板などの部品を基本となるケース部材に収納した後、他のケース部材を用いて蓋をするようにしているが、本発明にかかる折畳み型電子機器においては図３に示すように、滑り止め材１４は第２の筐体１１の両側面１１ｂ側の一端をそれぞれ第２の筐体１１の内部方向に延在しており、この延在部分１４ｃが内側ケース２０と外側ケース２１によって挟持された状態となっている。
【００２４】
このように、内側ケース２０と外側ケース２１によって滑り止め材１４を挟持するように構成すると、滑り止め材１４の取り付けが容易となる上、両ケース２０、２１の間の隙間が滑り止め材１４によって埋められ、この隙間から水や埃などが侵入することを防止することができる。すなわち、防滴性・防塵性に優れる。
【００２５】
そして滑り止め材１４をゴム又は樹脂などの弾性体により形成すれば、両ケース２０、２１間の密閉性が増し、防滴性・防塵性が更に向上するとともに、両筐体１０、１１を開状態から閉状態にした際の衝撃吸収力も高まることから、表示部１２の保護の観点からもより好ましい。
【００２６】
また、この滑り止め材１４及び感圧センサ１５は第１の筐体１０及び第２の筐体１１のどちらに設けても表示部１２の傷付きを防止することができるが、操作キー１３が設けられている筐体の内部には一般的に操作キー１３の下に回路基板１６が設けられており、回路基板１６は水や埃によって侵されやすい上に、電子機器において重要なデータやプログラムを有している可能性もあることから、滑り止め材１４及び感圧センサ１５は操作キー１３を有する第２の筐体１１側に設けることが好ましい。これにより、回路基板１６を水や埃の侵入から保護することができる。
【００２７】
なお、この滑り止め材１４は筐体１１の一方の側面のみに設けてもよいが、筐体１１の外周面をできるだけ多く覆うようにするとともに、筐体１１をユーザーが手で保持した際のホールド性を高める点で、筐体１１の少なくとも両側面１１ｂに設けることが好ましい。
【００２８】
例えば図５において、本発明にかかる折畳み型電子機器は、例えば表示部１２を有する第１の筐体１２と操作キー１３を有する第２の筐体１１からなる電子手帳であり、図１と同じ部分には同じ符号を付す。第２の筐体１１は連結部を除いて外周面全面に滑り止め材１４が設けられている。これにより、表示部１２の傷付き防止効果がより安定して得られるとともに、特定の一方向以外の方向から本発明にかかる電子機器を持っても、滑り止め材１４に触れることができ、滑り止めの観点からも好ましい。
【００２９】
また、第２の筐体１１を図３の実施例と同様に内側ケース２０と外側ケース２１により構成し、両ケース２０、２１間で滑り止め部材１４を挟持するようにすれば、両ケース間２０、２１の外周が滑り止め材１４によりほぼ覆われることになるので、筐体１１の密閉性が更に高まり、防滴性・防塵性が高まる。
【００３０】
なお、表示部１２の構成として、例えば第１の筐体１０内部には、液晶部分１２ａが第１の筐体に設けられた保持枠１０ｃによって保持され、液晶部１２ａを保護するために第１の筐体１０の面１０ａには透明の液晶保護プレート１２ｂが取り付けられている。液晶保護プレート１２ｂを通して見える部分のうち、液晶部１２ａによって映し出される表示を、保持枠１０ｃによって遮られることなく見ることが出来る部分が表示部１２である。そして当接部１４ｂはこの表示部１２を避けて、第１の筐体１０の対向面１０ａに当接することが表示部保護の観点からより好ましい。
【００３１】
【発明の効果】
以上説明したように、本発明によれば、少ない部品点数で表示部の傷つき防止と開閉検出の両方が可能であり、その上滑り止め機能を有する折畳み型電子機器が得られる。
【図面の簡単な説明】
【図１】本発明の一実施形態である折畳み型電子機器の開いた状態を示す斜視図である。
【図２】（ａ）は図１の折畳み型電子機器の閉じた状態を示す正面図、（ｂ）は同図（ａ）のＡ−Ａ矢視の断面図である。
【図３】図２（ｂ）のＢ部を拡大した断面図である。
【図４】第２の筐体の内側ケースを取り外し、外側ケースを内側から見た分解斜視図である。
【図５】本発明の他の実施形態である折畳み型電子機器を示す斜視図である。
【符号の説明】
１０  第１の筐体
１１  第２の筐体
１２  表示部
１３  操作キー
１４  滑り止め材
１４ｂ  当接部
１４ｃ  延在部分
１５  感圧センサ
１６  回路基板
２０  内側ケース
２１  外側ケース
Ｄ  当接部の厚み
Ｓ  空間
【図１】
2004328186.tif 000003
【図２】
2004328186.tif 000004
【図３】
2004328186.tif 000005
【図４】
2004328186.tif 000006
【図５】
2004328186.tif 000007